(57)【特許請求の範囲】
【請求項１】
常用電源に接続する主電源スイッチと、該主電源スイッチがオンである場合、ユーザから起動・停止の指示を受け付ける副電源スイッチと、該指示を受け付けた旨を通知する通知信号を前記副電源スイッチから取得し、該通知信号に基づいて起動・停止の制御を行なう制御部とを備える電気機器において、
前記副電源スイッチ及び制御部の間に介在し、該副電源スイッチから前記通知信号を受信した場合、その旨を前記制御部に伝達する伝達部を備えており、
前記制御部は前記伝達部による伝達を許可する旨の許可信号を前記伝達部に送信し、
該伝達部は、前記許可信号を受信した場合、前記制御部への伝達を行なうように構成されており、
前記主電源スイッチがオンになった場合、前記制御部は前記副電源スイッチがオンになるまで、前記許可信号を前記伝達部に送信するように構成されていることを特徴とする電気機器。
【請求項２】
起動時の初期設定に係る指示を受け付ける設定画面を表示する表示手段を備え、
前記制御部は、前記設定画面が表示されている間、前記許可信号を前記伝達部に送信するように構成されていることを特徴とする請求項１に記載の電気機器。
【請求項３】
自機が有する機能を実行する指示を受け付ける指示受付部を備え、
前記伝達部は、前記指示受付部が指示を受け付ける場合であって、前記副電源スイッチがユーザから起動・停止の指示を受け付けた場合、前記制御部への伝達を行なうように構成されていることを特徴とする請求項１又は２に記載の電気機器。
【発明の詳細な説明】
【技術分野】
【０００１】
本発明は、常用電源に接続する主電源スイッチと、ユーザから起動・停止の指示を受け付ける副電源スイッチとを備える電気機器に関する。
【背景技術】
【０００２】
近年、パーソナルコンピュータを代表とする多くの電子機器においては、ＤＣを供給する主電源スイッチとは別に、該電気機器を起動させる副電源スイッチ（パワーボタン）が備えられている。
【０００３】
一方、ハードウェアキーはその本来の機能以外に他の機能を有する場合が多く、例えば、パワーボタンは起動スイッチの機能のみならず、シャットダウン又は省電力復帰のトリガとなっており、パーソナルコンピュータにおいては長押することで強制シャットダウン機能も有している。
【０００４】
このようなハードウェアキーに対して、例えば、特許文献１においては、キーボードによる入力操作が所定の期間を越えて途絶えたときにカウント部は信号を出力し、このカウント部が信号を出力している間、表示装置用電源制御装置は表示装置へ供給されるべき本体電源からの電力を遮断する。一方、電源スイッチが押下された際、判定部は、前記カウント部が信号を出力しているかどうか判定し、該カウント部が信号を出力していないときのみ電源スイッチが押下された旨を示す信号を前記本体電源に送信することにより、前記表示装置への電力供給が前記表示装置用電源制御装置によって遮断された状態では前記電源スイッチの押下は無効となり、例えば、電源をオンにするつもりが誤って電源をオフにしてしまうといったことを防止することができるパーソナルコンピュータが開示されている。
【０００５】
また、特許文献２においては、システム電源オンのときは、制御回路が電源スイッチの操作を検出してシステム電源供給回路の電源供給を制御するが、システム電源オフのときには、前記電源スイッチの操作が前記制御回路に受け付けられないように構成され、前記電源スイッチの誤操作により電源オンされることが防止される電源装置が開示されている。
【０００６】
また、特許文献３においては、サスペンド／レジュームボタンと、該サスペンド／レジュームボタンを押圧することによりサスペンド／レジューム機能を実現するチップセットとの間に、前記サスペンド／レジュームボタンを押圧したときにローレベルとなるサスペンド／レジューム信号を生成するサスペンド／レジューム信号生成部を備え、該サスペンド／レジューム信号生成部で生成されたサスペンド／レジューム信号のローレベルの期間を一定期間未満に制限することにより、サスペンド／レジュームボタンの連続操作、長押等による不具合を未然に防止できる電子機器が開示されている。
【先行技術文献】
【特許文献】
【０００７】
【特許文献１】特開平１０−１１１７９号公報
【特許文献２】特開２０００−１２５４７８号公報
【特許文献３】特開２０００−１３２２５９号公報
【発明の概要】
【発明が解決しようとする課題】
【０００８】
一方、上述したように、パワーボタンはその操作方法によって、複数の機能を実行する場合が多いため、駅構内、図書館、コンビニ等に設置する電子機器においては、該パワーボタンを一般ユーザ又は店員が自由に操作できるように解放した場合、誤った操作、又は悪意を持った操作にさらされ、当該電気機器の故障の要因となっている。
【０００９】
しかしながら、特許文献１のパーソナルコンピュータ、特許文献２の電源装置及び特許文献３の電子機器では、このような問題を解決できない。
【００１０】
本発明は、斯かる事情に鑑みてなされたものであり、その目的とするところは、常用電源に接続する主電源スイッチと、該主電源スイッチがオンである場合、ユーザから起動・停止の指示を受け付ける副電源スイッチと、該指示を受け付けた旨を通知する通知信号を前記副電源スイッチから取得し、該通知信号に基づいて起動・停止の制御を行なう制御部とを備える電気機器において、前記副電源スイッチから前記通知信号を受信した場合、その旨を前記制御部に伝達する伝達部を備え、該伝達を許可する旨の許可信号を前記制御部から受信した場合、該伝達部が前記制御部に前記許可信号を伝達するように構成し、前記主電源スイッチがオンになった場合、前記制御部は前記副電源スイッチがオンになるまで、前記許可信号を前記伝達部に送信するように構成することにより、前記副電源スイッチの操作を有効にする時期を特定の条件に制限することができ、ユーザによる誤操作、又は悪意を有する者による操作に起因する故障を未然に防止できる電気機器を提供するところにある。
【課題を解決するための手段】
【００１１】
本発明に係る電気機器は、常用電源に接続する主電源スイッチと、該主電源スイッチがオンである場合、ユーザから起動・停止の指示を受け付ける副電源スイッチと、該指示を受け付けた旨を通知する通知信号を前記副電源スイッチから取得し、該通知信号に基づいて起動・停止の制御を行なう制御部とを備える電気機器において、前記副電源スイッチ及び制御部の間に介在し、該副電源スイッチから前記通知信号を受信した場合、その旨を前記制御部に伝達する伝達部を備えており、前記制御部は前記伝達部による伝達を許可する旨の許可信号を前記伝達部に送信し、該伝達部は、前記許可信号を受信した場合、前記制御部への伝達を行なうように構成されており、前記主電源スイッチがオンになった場合、前記制御部は前記副電源スイッチがオンになるまで、前記許可信号を前記伝達部に送信するように構成されていることを特徴とする。
【００１２】
本発明にあっては、例えば、ユーザによって前記副電源スイッチが押下操作され、前記伝達部が前記副電源スイッチから前記通知信号を受信した場合、前記制御部から前記許可信号を受信しているときは、該通知信号が受信された旨を該制御部に伝達するが、前記制御部から前記許可信号を受信していないときは、前記通知信号が受信された旨を前記制御部に伝達しない。また、前記主電源スイッチがオンになった場合、前記副電源スイッチがオンになるまで、換言すれば、最初に前記通知信号を受信するまで、前記制御部は前記許可信号を前記伝達部に送信し、前記副電源スイッチがオンになった後、すなわち、最初の通知信号が受信された後、前記制御部は前記許可信号の送信を中止する。
【００１５】
本発明に係る電気機器は、起動時の初期設定に係る指示を受け付ける設定画面を表示する表示手段を備え、前記制御部は、前記設定画面が表示されている間、前記許可信号を前記伝達部に送信するように構成されていることを特徴とする。
【００１６】
本発明にあっては、例えば、前記主電源スイッチがオンになった後、前記設定画面の表示に係る指示を作業者から受け付け、前記表示手段が該設定画面を表示した場合、前記制御部は前記許可信号を前記伝達部に送信し、前記表示手段による前記設定画面の表示が終了した場合、前記制御部は前記許可信号の送信を中止する。
【００１７】
本発明に係る電気機器は、自機が有する機能を実行する指示を受け付ける指示受付部を備え、前記伝達部は、前記指示受付部が指示を受け付ける場合であって、前記副電源スイッチがユーザから起動・停止の指示を受け付けた場合、前記制御部への伝達を行なうように構成されていることを特徴とする。
【００１８】
本発明にあっては、例えば、前記指示受付部が、初期画面を表示する指示を受け付けるメニューボタンである場合、前記メニューボタンが斯かる指示を受け付けるとき、すなわち、該メニューボタンが押下操作されているときであって、前記副電源スイッチがユーザから斯かる指示を受け付けたとき、換言すれば、前記メニューボタンと、前記副電源スイッチとが同時に押下操作されるとき、前記伝達部が前記制御部への伝達を行なう。
【発明の効果】
【００１９】
本発明によれば、前記副電源スイッチの操作を制限し、特定の条件を満たす場合のみ、前記副電源スイッチの操作を有効にすることができ、前記副電源スイッチがユーザ又は店員に解放された場合において、ユーザによる誤操作、又は悪意を有する者による操作に起因する故障を未然に防止できる。
【図面の簡単な説明】
【００２０】
【図１】本発明の実施の形態の複合機の要部構成を示す機能ブロック図である。
【図２】本発明の実施の形態の複合機における、操作パネル及び制御部の関係を説明する説明図である。
【図３】本発明の実施の形態の複合機における、操作パネル及び制御部の関係を詳しく説明する説明図である。
【図４】本発明の実施の形態の複合機における、副電源スイッチを介した指示受付の一例を示すフローチャートである。
【図５】本発明の実施の形態の複合機における、副電源スイッチを介した指示受付の他例を示すフローチャートである。
【発明を実施するための形態】
【００２１】
以下に、本発明の実施の形態に係る電気機器を複合機に適用した場合を例として、図面に基づいて詳述する。該複合機は、スキャナ、ファクシミリ、プリンター等の機能を有している。
【００２２】
図１は本発明の実施の形態の複合機１００の要部構成を示す機能ブロック図である。複合機１００は、主電源スイッチＳを介して外部の常用電源と接続されている。また、複合機１００は、制御部１、画像入力部２、画像処理部３、画像出力部４、操作パネル５、表示部６、記憶部７等を備えている。
【００２３】
画像入力部２は、読み取り用の原稿に光を照射する光源、ＣＣＤ（Charge Coupled Device）のようなイメージセンサ等を有し、該原稿の画像データの光学的読み取りを行なう。また、画像入力部２では、所定の読取り位置に載置された原稿からの反射光像を当該イメージセンサに結像させ、ＲＧＢ（R : Red, G : Green, B : Blue）のアナログデータを出力する。
【００２４】
画像処理部３は、例えば、画像入力部２から入力されるアナログデータを基にデジタル形式の画像データを生成し、又は記憶部７に記憶されている画像データを読み出し、夫々の画像の種類に応じた処理を施した後、出力（印刷）すべき画像データを生成する。画像処理部３によって生成された出力用画像データは、画像出力部４に出力される。
【００２５】
画像出力部４は、画像処理部３から出力される画像データに基づく画像を記録用紙、ＯＨＰフィルム等の記録媒体上に印刷する。画像出力部４は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して現像化する現像器、感光体ドラム表面に形成されたトナー像を記録媒体上に転写する転写器等を備えており、例えば、電子写真方式にて画像を記録媒体上に出力する。
【００２６】
また、操作パネル５は、複合機１００における「ファックス」、「複写」、「印刷」、「メール」等の機能を切り替える機能キー、ユーザから起動・停止の指示を受け付ける副電源スイッチ、受け付けた指示を確定するためのエンターキー、自機の機能の中、何れかの機能の選択を受け付けるホーム画面へ表示部６の表示画面を戻すためのホームキー等のハードウェアキーが設けられている。
【００２７】
表示部６は、例えば、ＬＣＤ又はＥＬ（Electroluminescence）パネル等からなり、画像出力部４を介して、所定の記録用紙へ出力（印刷）すべき画像が表示される。また、表示部６は、複合機１００の起動時における初期設定を受け付ける設定画面（いわゆる、ＢＩＯＳ設定画面）を表示する。
【００２８】
記憶部７は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の記憶媒体により構成されている。
【００２９】
図２は本発明の実施の形態の複合機１００における、操作パネル５及び制御部１の関係を説明する説明図である。
【００３０】
操作パネル５はＣＰＬＤ（Complex Programmable Logic Device）８を介して制御部１と接続している。ＣＰＬＤ８は請求項に記載の伝達部としての役割をなす。
【００３１】
ＣＰＬＤ８は、プログラミングによって構造を改変することのできる電気回路であるプログラマブルロジックであり、操作パネル５及び制御部１の間に介在している。
【００３２】
ＣＰＬＤ８は、特に、操作パネル５から特定の信号を受信した場合、一定の条件の下、制御部１にその旨を表す信号を送信する。詳しくは、ＣＰＬＤ８は、特定の条件の下、制御部１から送られる、後術する許可信号に応じて、操作パネル５から特定の信号を受信した旨を表すＩＣＨ_ＰＷＲＢＴＮ_Ｎ信号を制御部１に伝達する。
【００３３】
例えば、操作パネル５が有する前記副電源スイッチがユーザによって押下操作された場合、操作パネル５からはその旨を表すＰＷＲＢＴＮ_ＣＰＬＤ_ＩＮ_Ｎ信号がＣＰＬＤ８に送信される。ＣＰＬＤ８は該ＰＷＲＢＴＮ_ＣＰＬＤ_ＩＮ_Ｎを受信した場合、制御部１から前記許可信号を受信しているときのみ、当該ＰＷＲＢＴＮ_ＣＰＬＤ_ＩＮ_Ｎ信号を受信した旨を制御部１に送信する。すなわち、ＣＰＬＤ８は、ユーザによる前記副電源スイッチの押下操作を表すＰＷＲＢＴＮ_ＣＰＬＤ_ＩＮ_Ｎ信号を受信した場合、制御部１から前記許可信号を受信しているときのみ、斯かる旨を表すＩＣＨ_ＰＷＲＢＴＮ_Ｎ信号を制御部１に伝達する。
【００３４】
更に、操作パネル５が有する前記ホームキーのユーザによる操作に応じて、操作パネル５からはその旨を表すＨＭ_ＫＥＹ_Ｎ信号がＣＰＬＤ８に送信される。複合機１００がいわゆる待機モードである際は、ＣＰＬＤ８が該ＨＭ_ＫＥＹ_Ｎ信号を受信している場合であって、ユーザによる前記副電源スイッチの押下操作を表すＰＷＲＢＴＮ_ＣＰＬＤ_ＩＮ_Ｎ信号を受信したときのみ、斯かる旨を表すＩＣＨ_ＰＷＲＢＴＮ_Ｎ信号を制御部１に伝達する。換言すれば、複合機１００が待機モードである場合は、前記ホームキーと、副電源スイッチとが同時に押下された場合にのみ、ＣＰＬＤ８がユーザによる前記副電源スイッチの押下操作を表すＩＣＨ_ＰＷＲＢＴＮ_Ｎ信号を制御部１に伝達する。
【００３５】
以下においては、ユーザによる前記副電源スイッチの押下操作を表すＰＷＲＢＴＮ_ＣＰＬＤ_ＩＮ_Ｎ信号を「ＰＷＲＢＴＮ_ＣＰＬＤ_ＩＮ＝０」といい、該信号が受信された旨を表すＩＣＨ_ＰＷＲＢＴＮ_Ｎ信号を「ＩＣＨ_ＰＷＲＢＴＮ＝０」という。
【００３６】
図３は本発明の実施の形態の複合機１００における、操作パネル５及び制御部１の関係を詳しく説明する説明図である。
【００３７】
制御部１は、ＣＰＵ１１と、サウスブリッジ１２と、メモリ１３とを備えており、ＣＰＵ１１はサウスブリッジ１２を介して信号の送受信を行なう。
【００３８】
サウスブリッジ１２は、制御部１内の信号の流通を制御する、いわゆる「チップセット」の役割をなす。また、サウスブリッジ１２は、入力端子１２１を介してＣＰＬＤ８からＩＣＨ_ＰＷＲＢＴＮ＝０信号を受信してＣＰＵ１１に送り、ＣＰＵ１１の指示に応じて、前記許可信号をＣＰＬＤ８に送信する。
【００３９】
上述したように、ＣＰＬＤ８は制御部１から許可信号を受信している場合のみ、ＩＣＨ_ＰＷＲＢＴＮ＝０信号を制御部１に送信する。すなわち、たとえ、ユーザによって副電源スイッチ５２が押下されたとしても、制御部１から許可信号が送信されていない場合には、ＣＰＬＤ８はＩＣＨ_ＰＷＲＢＴＮ＝０信号を制御部１に送信しない。このように、前記許可信号は、ＣＰＬＤ８へのＩＣＨ_ＰＷＲＢＴＮ＝０信号の伝達を許可する信号であり、サウスブリッジ１２は、ＣＰＵ１１の指示に応じて、前記許可信号を、出力端子１２２を介して、ＣＰＬＤ８に送る。以下、前記許可信号をＧＰＩＯ_Ａ信号といい、ＣＰＬＤ８によるＩＣＨ_ＰＷＲＢＴＮ＝０信号の伝達を許可する場合の信号を、「ＧＰＩＯ_Ａ＝１」といい、該伝達を不許可する場合の信号を「ＧＰＩＯ_Ａ＝０」という。
【００４０】
メモリ１３は、例えば、ＳＰＩ−Ｆｌａｓｈメモリであり、複合機１００に係るＢＩＯＳが格納されている。ＣＰＵ１１は、メモリ１３に格納されているＢＩＯＳを用いて、複合機１００の起動時に各デバイスの初期化処理を行なう。
【００４１】
ＣＰＵ１１は、一定の条件の下、ＣＰＬＤ８へＧＰＩＯ_Ａ＝１信号を送信するようにサウスブリッジ１２に指示する。前記一定の条件としては、例えば、主電源スイッチＳがオンになってから、１回目の副電源スイッチ５２の操作が行なわれるまで、ＢＩＯＳ設定を受け付けるための設定画面を表示する指示を受けている場合等である。
【００４２】
すなわち、主電源スイッチＳがオンになった場合、複合機１００の起動のために、副電源スイッチ５２を介して斯かる指示を受け付ける必要があることから、主電源スイッチＳがオンになってから、副電源スイッチ５２がオンになるまでの間、ＣＰＵ１１はサウスブリッジ１２にＧＰＩＯ_Ａ＝１信号の出力を指示する。従って、この際、ＣＰＬＤ８からのＩＣＨ_ＰＷＲＢＴＮ_Ｎ信号（ＩＣＨ_ＰＷＲＢＴＮ＝０）が入力端子１２１を介してサウスブリッジ１２（ＣＰＵ１１）に入力できる。
【００４３】
また、複合機１００の製造過程における、検査、評価等、並びにメンテナンスに対応するために、主電源スイッチＳがオンになった後、ＢＩＯＳ設定を受け付ける設定画面を表示部６又は外部の表示部に表示している場合は、ＣＰＵ１１がサウスブリッジ１２にＧＰＩＯ_Ａ＝１信号の出力を指示する。従って、この際、ＣＰＬＤ８からのＩＣＨ_ＰＷＲＢＴＮ_Ｎ信号（ＩＣＨ_ＰＷＲＢＴＮ＝０）が入力端子１２１を介してサウスブリッジ１２（ＣＰＵ１１）に入力できる。
【００４４】
図４は本発明の実施の形態の複合機１００における、副電源スイッチ５２を介した指示受付の一例を示すフローチャートである。以下においては、説明の便宜上、主電源スイッチＳがオンになってから、１回目の副電源スイッチ５２の操作が行なわれるまでを例にあげて説明する。
【００４５】
本発明の実施の形態の複合機１００の使用を希望するユーザは、主電源スイッチＳを押下操作して電源をオンにする（ステップＳ１０１）。このとき、副電源スイッチ５２からは、ＰＷＲＢＴＮ_ＣＰＬＤ_ＩＮ＝１信号が出力されている。
【００４６】
斯かる際、ＣＰＵ１１は、サウスブリッジ１２にＧＰＩＯ_Ａ＝１信号の出力を指示し、サウスブリッジ１２は出力端子１２２を介してＣＰＬＤ８にＧＰＩＯ_Ａ＝１信号を出力する（ステップＳ１０２）。
【００４７】
このとき、例えば、ユーザが副電源スイッチ５２を押下操作した場合、ＰＷＲＢＴＮ_ＣＰＬＤ_ＩＮ＝０信号が入力端子８２を介してＣＰＬＤ８に送信される。該信号を受信したＣＰＬＤ８は斯かる旨を表すＩＣＨ_ＰＷＲＢＴＮ_Ｎ信号を出力端子８３を介してサウスブリッジ１２に送信する。
【００４８】
次いで、ＣＰＵ１１はサウスブリッジ１２を介して、ＣＰＬＤ８からのＩＣＨ_ＰＷＲＢＴＮ_Ｎ信号を監視することにより、副電源スイッチ５２が押下操作されたか否か、すなわち、オンになったか否かを判定する（ステップＳ１０３）。
【００４９】
ＣＰＵ１１は副電源スイッチ５２がオンになっていないと判定した場合、すなわち、副電源スイッチ５２が押下操作されていない場合（ステップＳ１０３：ＮＯ）、副電源スイッチ５２が押下操作されるまで、斯かる判定を繰り返して行なう。
【００５０】
一方、ＣＰＵ１１は副電源スイッチ５２がオンになっていると判定した場合（ステップＳ１０３：ＹＥＳ）、サウスブリッジ１２にＧＰＩＯ_Ａ＝０信号の出力を指示し、サウスブリッジ１２は出力端子１２２を介してＣＰＬＤ８にＧＰＩＯ_Ａ＝０信号を出力する（ステップＳ１０４）。
【００５１】
この際、ＣＰＬＤ８は入力端子８４を介してＧＰＩＯ_Ａ＝０信号を受信する。以降、ＣＰＬＤ８においては、副電源スイッチ５２からＰＷＲＢＴＮ_ＣＰＬＤ_ＩＮ＝０信号を受信しても、サウスブリッジ１２にＩＣＨ_ＰＷＲＢＴＮ＝０信号を送信することはない。すなわち、以降においては、ユーザが副電源スイッチ５２を押下操作しても無効としてみなされる。
【００５２】
従って、悪意を有するユーザによる副電源スイッチ５２の操作等による副電源スイッチ５２の故障が防止できる。
【００５３】
この後、システムチェック等の初期化が行なわれ（ステップＳ１０５）、初期化が終了した場合、ユーザから所定の指示を受け付けるまで待機する（ステップＳ１０６）。
この際においても、サウスブリッジ１２は出力端子１２２を介してＣＰＬＤ８にＧＰＩＯ_Ａ＝０信号を出力しているので、ユーザによる副電源スイッチ５２の押下操作は無効となる。
【００５４】
図５は本発明の実施の形態の複合機１００における、副電源スイッチ５２を介した指示受付の他例を示すフローチャートである。以下においては、説明の便宜上、主電源スイッチＳがオンになった後、ＢＩＯＳ設定を受け付けるために設定画面を表示する指示を受けた場合を例にあげて説明する。
【００５５】
例えば、未だ副電源スイッチ５２が設けられていない等、製造工程上、未完成状態において、複合機１００のＢＩＯＳを設定する必要があるような場合、作業者は、主電源スイッチＳを押下操作して電源をオンにする（ステップＳ２０１）。
【００５６】
この際、作業者は、例えば、インターフェイス（図示せず）を介して適宜複合機１００を操作し、ＢＩＯＳ設定を受け付ける設定画面を表示するよう指示する。説明の便宜上、本実施の形態においては、斯かる設定画面が表示部６に表示されるものとする。
【００５７】
ＣＰＵ１１は前記インターフェイスを介して前記指示を受け付けた場合、メモリ１３に記憶されているＢＩＯＳに基づき、表示部６に前記設定画面を表示する（ステップＳ２０２）。
【００５８】
斯かる際、ＣＰＵ１１は、サウスブリッジ１２にＧＰＩＯ_Ａ＝１信号の出力を指示し、サウスブリッジ１２は出力端子１２２を介してＣＰＬＤ８にＧＰＩＯ_Ａ＝１信号を出力する（ステップＳ２０３）。
【００５９】
次いで、ＣＰＵ１１は、前記インターフェイスを監視することにより、前記設定画面の表示を終了する旨の指示を受け付けたか否かを判定する（ステップＳ２０４）。
【００６０】
ＣＰＵ１１は、前記設定画面の表示を終了する旨の指示を受け付けていないと判定した場合（ステップＳ２０４：ＮＯ）、Ｓ２０３の処理に戻り、サウスブリッジ１２にＧＰＩＯ_Ａ＝１信号の出力を指示する。このような処理は、ＣＰＵ１１が前記設定画面の表示を終了する旨の指示を受け付けるまで行なわれる。
【００６１】
一方、ＣＰＵ１１は、前記設定画面の表示を終了する旨の指示を受け付けたと判定した場合（ステップＳ２０４：ＹＥＳ）、サウスブリッジ１２にＧＰＩＯ_Ａ＝０信号の出力を指示し、サウスブリッジ１２は出力端子１２２を介してＣＰＬＤ８にＧＰＩＯ_Ａ＝０信号を出力する（ステップＳ２０５）。
【００６２】
以降、サウスブリッジ１２は出力端子１２２を介してＣＰＬＤ８にＧＰＩＯ_Ａ＝０信号を出力し続けるので、ユーザによる副電源スイッチ５２の押下操作は無効となる。従って、副電源スイッチ５２の操作を制限しつつ、製造工程の検査・評価の際における、複合機１００の起動に対応できる。
【００６３】
その他、本発明の実施の形態の複合機１００においては、悪意を有するユーザによる副電源スイッチ５２の操作による故障の発生を防止する方法として、複合機１００がいわゆる待機モードである場合、副電源スイッチ５２の押下操作は、操作パネル５に設けられた何れかのハードウェアキーと同時に行なわれる場合のみ有効となるように構成されている。
【００６４】
例えば、ユーザが副電源スイッチ５２の押下操作し、ＣＰＬＤ８の入力端子８２にて副電源スイッチ５２の押下操作を表すＰＷＲＢＴＮ_ＣＰＬＤ_ＩＮ_Ｎ（ＰＷＲＢＴＮ_ＣＰＬＤ_ＩＮ＝０）信号が受信された場合、ＣＰＬＤ８は入力端子８１を監視し、操作パネル５の何れかのハードウェアキー（例えば、ホームキー５１）を押下操作した旨を表すＨＭ_ＫＥＹ_Ｎ信号（以下、ＨＭ_ＫＥＹ＝０という。）が入力端子８１に送信されたか否かを判断する。
【００６５】
ＨＭ_ＫＥＹ＝０信号が受信された場合、ＣＰＬＤ８は、ユーザによる副電源スイッチ５２の押下操作によってＰＷＲＢＴＮ_ＣＰＬＤ_ＩＮ＝０信号が受信された旨を示すＩＣＨ_ＰＷＲＢＴＮ＝０信号を出力端子８３を介してサウスブリッジ１２に伝達する。
【００６６】
一方、ＨＭ_ＫＥＹ＝１信号が受信された場合、ＣＰＬＤ８は入力端子８２を介して受信したＰＷＲＢＴＮ_ＣＰＬＤ_ＩＮ＝０信号を無効にする。
【００６７】
本発明の実施の形態の複合機１００は、以上のような構成を有するので、ユーザによるいたずら、悪意のあるユーザによる副電源スイッチ５２の乱暴な操作による故障を未然に防止できる。
【符号の説明】
【００６８】
１  制御部
５  操作パネル
６  表示部
８  ＣＰＬＤ
１１  ＣＰＵ
１２  サウスブリッジ
５１  ホームキー
５２  副電源スイッチ
１００  複合機
Ｓ  主電源スイッチ
【図１】
0005518131.tif 000002
【図２】
0005518131.tif 000003
【図３】
0005518131.tif 000004
【図４】
0005518131.tif 000005
【図５】
0005518131.tif 000006